(57)【特許請求の範囲】
【請求項１】
凝縮性ガス成分を含むプロセス蒸気を発生し、かつ発生したプロセス蒸気の凝縮性ガス成分を凝縮液として回収する主工程と、前記プロセス蒸気の少なくとも一部を圧縮機で断熱圧縮して温度を上昇させて再圧縮蒸気を得る再圧縮工程と、再圧縮蒸気を熱源として利用する熱交換工程と、熱交換工程に供された再圧縮蒸気のうち、凝縮しなかったガス成分を主工程に戻す循環工程とを含む再圧縮蒸気の利用方法であって、圧縮機の下流に、非凝縮性ガスを導入するガス導入工程を含む再圧縮蒸気の利用方法。
【請求項２】
非凝縮性ガスが、圧縮機の背圧側の温度及び圧力下において、気体状態を保持可能なガスを含む請求項１記載の方法。
【請求項３】
非凝縮性ガスが、不活性ガスを含む請求項１又は２記載の方法。
【請求項４】
非凝縮性ガスが、窒素を含む請求項１〜３のいずれかに記載の方法。
【請求項５】
ガス導入工程における非凝縮性ガスの流量と、循環工程における主工程に戻すガス成分の流量とを調整することにより、再圧縮工程での圧縮比を制御する請求項１〜４のいずれかに記載の方法。
【請求項６】
循環工程において、非凝縮性ガスを導入する請求項１〜５のいずれかに記載の方法。
【請求項７】
非凝縮性ガスの導入流量が、主工程で発生するプロセス蒸気の流量に対して、０．０１〜３体積％である請求項１〜６のいずれかに記載の方法。
【請求項８】
凝縮性ガス成分を含むプロセス蒸気を発生する蒸気生成器、及び発生したプロセス蒸気の一部を冷却して凝縮させるためのコンデンサーを有する主ユニットと、前記プロセス蒸気の残部を断熱圧縮して温度を上昇させて再圧縮蒸気を得るための蒸気再圧縮ユニットと、再圧縮蒸気を熱源として利用するための熱交換ユニットと、熱交換ユニットに供された再圧縮蒸気のうち、凝縮されなかったガス成分を主ユニットに戻すための循環ラインとを備えた再圧縮蒸気の利用プラントであって、圧縮機の下流に、非凝縮性ガスを導入するためのガス導入ユニットを備えた再圧縮蒸気の利用プラント。
【請求項９】
非凝縮性ガスが、請求項２〜４のいずれかに記載のガスである請求項８記載のプラント。
【請求項１０】
ガス導入ユニット及び循環ラインにおいて、非凝縮性ガスの導入流量と、主ユニットに戻るガス成分の流量とを調整可能な流量制御ユニットがそれぞれに配設されている請求項８又は９記載のプラント。
【請求項１１】
ガス導入ユニットが、循環ラインの流量制御ユニットよりも上流に接続されている請求項１０記載のプラント。
【請求項１２】
ガス導入ユニットにおいて、非凝縮性ガスの導入流量が、主工程で発生するプロセス蒸気の流量に対して、０．０１〜３体積％となるように調整可能な流量制御ユニットが配設されている請求項８〜１１のいずれかに記載のプラント。
【発明の詳細な説明】
【技術分野】
【０００１】
本発明は、蒸気の発生を伴うプロセスにおいて、この蒸気を断熱圧縮することにより得られる再圧縮蒸気を、熱源として効率良く利用する方法及びこの方法を利用したプラントに関する。
【背景技術】
【０００２】
化学物質の反応や混合物の分離などの操作により、蒸気の発生を伴う化学プロセスにおいて、発生するプロセス蒸気が目的物（例えば、常温常圧下で液状の化合物など）である場合、又はプロセス蒸気が大気中への排出が適切ではない物質を含む場合には、通常、プロセス蒸気を冷却して凝縮し、回収される工程が導入される。
【０００３】
このような化学プロセスにおいて、発生するプロセス蒸気が有する熱量を、熱源として有効活用し、プロセス全体で掛かるエネルギー量又はランニングコストを低減する方法が提案されている。例えば、プロセス蒸気を断熱圧縮することで温度を上昇させ、その圧縮プロセス蒸気（再圧縮蒸気）の熱量を蒸発や蒸留、乾燥などの工程における熱源として利用する蒸気再圧縮（Vapor Re-Compression:ＶＲＣ）方式などの方法が検討されている。
【０００４】
例えば、特許第３２２１６９５号公報（特許文献１）には、揮発性の溶媒と低濃度の不揮発性の溶質とを含む原液から、ヒートポンプ方式（蒸気再圧縮方式）により、溶媒及び溶質を回収する方法が開示されている。詳しくは、蒸留塔などで発生するプロセス蒸気を、塔頂ラインから蒸気圧縮機に導入して圧縮及び昇温し、この圧縮プロセス蒸気（再圧縮蒸気）を必要量だけリボイラーに供給することにより、塔底における熱源として利用している。また、再圧縮蒸気の余剰分は冷却され凝縮し、リボイラーで発生した凝縮液と合流して、一部は留出物として回収され、残部は還流ラインを経由して塔へと戻されている。このような方法では、ランニングコスト低減などのある程度の省エネルギー効果は得られるものの、圧縮機などの機器を保護する観点については検討されておらず、使用状態によっては機器が破損するおそれがある。
【０００５】
また、安全かつ簡便にプロセス蒸気を利用する方法として、国際公開第２０１５／０３３９３５号（特許文献２）には、ＶＲＣ方式において、圧縮機の下流に存在する未凝縮の再圧縮蒸気などのガス成分を、主工程に戻す循環工程を設けることにより、圧縮機などの機器の破損を防止しつつプロセス蒸気を利用する方法が開示されている。この方法では、循環工程により、圧縮機の下流における前記ガス成分の滞留などを抑制できるため、安全かつ簡便にプロセス蒸気を利用できる。しかし、この方法では、圧縮機の下流側の圧力制御が容易ではなく、円滑に再圧縮できない場合があり、省エネルギー効果の向上にも、改善の余地が残されていた。また、各ユニットやそのレイアウトなどのプロセス設計における自由度も制限されていた。
【先行技術文献】
【特許文献】
【０００６】
【特許文献１】特許第３２２１６９５号公報（特許請求の範囲、段落［０００２］［０００３］［０００６］、図１）
【特許文献２】国際公開第２０１５／０３３９３５号（請求の範囲、段落［０００５］［０００９］、実施例、図１、２及び４）
【発明の概要】
【発明が解決しようとする課題】
【０００７】
従って、本発明の目的は、断熱圧縮により昇温させたプロセス蒸気（再圧縮蒸気）を熱源として効率的に利用する方法、及びこの方法を用いたプラントを提供することにある。
【０００８】
本発明の他の目的は、プロセス蒸気を円滑に再圧縮できる方法、及びこの方法を用いたプラントを提供することにある。
【０００９】
本発明のさらに他の目的は、前記再圧縮蒸気の全量（凝縮性ガス成分の全量）を凝縮しても、ＶＲＣ方式を備えたプラントを円滑に運転できる方法、及びこの方法を用いたプラントを提供することにある。
【００１０】
本発明の別の目的は、ＶＲＣ方式において、プロセス設計の柔軟性に優れたプロセス蒸気の利用方法、及びこの方法を用いたプラントを提供することにある。
【００１１】
本発明のさらに別の目的は、前記再圧縮蒸気を熱源として安全かつ簡便に利用する方法、及びこの方法を用いたプラントを提供することにある。
【課題を解決するための手段】
【００１２】
本発明者らは、前記課題を達成するため鋭意検討した結果、凝縮性ガス成分を含むプロセス蒸気を発生し、かつ発生したプロセス蒸気の凝縮性ガス成分（又は凝縮性成分）を凝縮液として回収する主工程と、前記プロセス蒸気の少なくとも一部を圧縮機で断熱圧縮して温度を上昇させて再圧縮蒸気を得る再圧縮工程と、再圧縮蒸気を熱源として利用する熱交換工程と、熱交換工程に供された再圧縮蒸気のうち、凝縮しなかったガス成分を主工程に戻す循環工程とを含む再圧縮蒸気の利用方法において、圧縮機の下流に、非凝縮性ガスを導入すると、背圧の低下を防止しつつ、より一層高い省エネルギー効果が得られるとともに、安定して運転できるプロセスを見いだし、本発明を完成した。
【００１３】
すなわち、本発明の再圧縮蒸気の利用方法は、凝縮性ガス成分を含むプロセス蒸気を発生し、かつ発生したプロセス蒸気の凝縮性ガス成分（又は凝縮性成分）を凝縮液として回収する主工程と、前記プロセス蒸気の少なくとも一部を圧縮機で断熱圧縮して温度を上昇させて再圧縮蒸気を得る再圧縮工程と、再圧縮蒸気を熱源として利用する熱交換工程と、熱交換工程に供された再圧縮蒸気のうち、凝縮しなかったガス成分を主工程に戻す循環工程とを含む再圧縮蒸気の利用方法であって、圧縮機の下流に、非凝縮性ガスを導入するガス導入工程を含む。非凝縮性ガスは、圧縮機の背圧側の温度及び圧力下において、気体状態を保持可能なガスを含んでいてもよく、例えば、窒素などの不活性ガスを含んでいてもよい。また、ガス導入工程における非凝縮性ガスの流量と、循環工程における主工程に戻すガス成分の流量とを調整することにより、上記再圧縮工程での圧縮比を制御してもよい。非凝縮性ガスは、循環工程において導入してもよい。さらに、非凝縮性ガスの導入流量は、主工程で発生するプロセス蒸気の流量に対して、０．０１〜３体積％であってもよい。また、本発明の再圧縮蒸気の利用方法は、熱交換工程を経たプロセス流体を気液分離するための気液分離工程をさらに含んでもよい。
【００１４】
また、本発明には、凝縮性ガス成分を含むプロセス蒸気を発生する蒸気生成器、及び発生したプロセス蒸気の一部を冷却して凝縮させるためのコンデンサーを有する主ユニットと、前記プロセス蒸気の残部を断熱圧縮して温度を上昇させて再圧縮蒸気を得るための蒸気再圧縮ユニットと、再圧縮蒸気を熱源として利用するための熱交換ユニットと、熱交換ユニットに供された再圧縮蒸気のうち、凝縮されなかったガス成分を主ユニットに戻すための循環ラインとを備えた再圧縮蒸気の利用プラントであって、圧縮機の下流に、非凝縮性ガスを導入するためのガス導入ユニットを備えた再圧縮蒸気の利用プラントも包含する。非凝縮性ガスは、前述の通り、圧縮機の背圧側の温度及び圧力下において、気体状態を保持可能なガスを含んでいてもよく、例えば、窒素などの不活性ガスを含んでいてもよい。また、ガス導入ユニット及び循環ラインにおいて、非凝縮性ガスの導入流量と、主ユニットに戻るガス成分の流量とを調整可能な流量制御ユニットがそれぞれに配設されていてもよい。ガス導入ユニットは、循環ラインの流量制御ユニットよりも上流に接続されていてもよい。ガス導入ユニットにおいて、非凝縮性ガスの導入流量が、主工程で発生するプロセス蒸気の流量に対して、０．０１〜３体積％となるように調整可能な流量制御ユニットが配設されていてもよい。
【００１５】
なお、本明細書中、「プロセス蒸気」とは、気液の相変化を伴う単位操作が組み込まれた製造プロセス（工程）中で発生する蒸気を意味し、「再圧縮蒸気」とは、蒸気再圧縮方式（ＶＲＣ方式）において、熱源として利用するために温度上昇させたプロセス蒸気を意味し、「非凝縮性ガス」とは、圧縮機の背圧空間における温度及び圧力下において、気体状態を保持可能なガスを意味する。
【発明の効果】
【００１６】
本発明の方法は、ＶＲＣ方式において、圧縮機の下流に、非凝縮性ガスを導入するため、ＶＲＣ方式を有効に機能（又は作動）させるために必要な圧力（背圧）を維持することが可能になる。従って、多量の再圧縮蒸気（例えば、再圧縮蒸気全量）を有効に凝縮できるため、ＶＲＣ方式により得られる省エネルギー効果を著しく向上できる。また、非凝縮性ガスの導入により、圧縮機の下流（背圧空間）における圧力を容易に制御できるため、ＶＲＣ方式を備えたプラントの運転を円滑にできる。そのため、処理量や運転条件の変動が大きなプラントにも対応でき、プロセス設計の柔軟性にも優れたプロセス蒸気の利用方法を提供できる。なお、熱交換などにより凝縮しなかったガス成分を主工程（主プロセス）に戻す循環工程も含むため、機器を破損することなく、安全かつ簡便に再圧縮蒸気を利用できる。
【図面の簡単な説明】
【００１７】
【図１】図１は本発明の再圧縮蒸気の利用方法及びプラント（装置）の一例を説明するためのプロセスフロー図である。
【図２】図２は実施例１の再圧縮蒸気の利用方法及びプラント（装置）を説明するためのプロセスフロー図である。
【図３】図３は比較例１の再圧縮蒸気の利用方法及びプラント（装置）を説明するためのプロセスフロー図である。
【発明を実施するための形態】
【００１８】
以下、必要により添付図面を参照しつつ、本発明をより詳細に説明する。
【００１９】
図１の例では、再圧縮蒸気の利用プラントは、凝縮性ガス成分を含むプロセス蒸気を排出するプロセス蒸気生成器としての蒸留塔１を備えており、この蒸留塔１からプロセス蒸気を排出するための排出ラインは、分岐点４で分岐している。分岐した一方のラインには、蒸留塔１から排出したプロセス蒸気の一部を冷却して凝縮するための第１のコンデンサー２及び第２のコンデンサー３が配設され、前記プロセス蒸気中の凝縮性ガス成分（凝縮性成分）をコンデンサー２及び３で冷却して凝縮液として回収する。主ユニットは前記蒸留塔１と第１のコンデンサー２及び第２のコンデンサー３とを含む。
【００２０】
また、分岐した他方のラインでは、流量制御ユニットとしての流量制御弁（バルブ）１５及び１７が配設されたラインを経由して、前記プロセス蒸気の残部を断熱圧縮して温度を上昇させて再圧縮蒸気を得るための蒸気再圧縮ユニットとしてのターボ型圧縮機５と、再圧縮蒸気を熱源として利用するための熱交換ユニットとしての熱交換器７と、熱交換器７を経たプロセス流体を気液分離し、分離されたガス成分を主ユニットに戻すための気液分離ユニットとしての気液分離器８とが配設されている。この気液分離器８では、熱交換器７を経たプロセス流体を、さらにガス成分と、液体成分（凝縮液）とに分離し、分離された凝縮液は、流量制御ユニットとしての流量制御弁１３を備えたライン（凝縮液排出ライン）から回収される。一方、気液分離器８で分離されたガス成分は、気液分離器８のエアリングライン（又は均圧管）９ｂを経由して、熱交換器７のエアリングライン（又は均圧管）９ａからのガスと合流し、第１の循環ライン９により主ユニットに戻される。この第１の循環ライン９は、第１のコンデンサー２と第２のコンデンサー３との間のラインに接続部（又は配管接続部）１０を介して接続されており、第１のコンデンサー２を通過したプロセス流体（プロセス蒸気）と合流されて、第２のコンデンサー３で冷却して凝縮されて回収される。さらに、前記ターボ型圧縮機５には、圧縮機の入口側のラインと出口側のラインとを連結する第２の循環ライン６、および流量制御ユニットとしての流量制御弁１２が配設されていてもよい。また、第２の循環ライン６は、圧縮機の入口側のラインにおいて、流量制御弁１５及び１７の間のラインに接続されていてもよい。
【００２１】
なお、本発明の利用方法又はプラントは、蒸留塔１並びに第１のコンデンサー２、及び必要に応じて第２のコンデンサー３を含み、凝縮性ガス成分を含むプロセス蒸気を発生し、冷却して凝縮させる主工程（主プロセス）と、ターボ型圧縮機５、熱交換器７及び気液分離器８を含み、プロセス蒸気を圧縮機で断熱圧縮して温度を上昇させた再圧縮蒸気を生成して熱源として利用するＶＲＣ工程（ＶＲＣプロセス）とに区分される。また、本明細書及び図２及び３においても、図１と同一の構成要素については、同一の番号を付している。
【００２２】
このような構成を有するプラント（装置）において、ＶＲＣ工程の起動前は、主工程のみで運転されている。すなわち、流量制御弁１５は閉じられており、蒸留塔１から排出されたプロセス蒸気は、第１のコンデンサー２及び第２のコンデンサー３で凝縮性ガス成分（凝縮性成分）の全量が冷却凝縮され、凝縮液として回収されている。次に、流量制御弁１１、１２及び１７を全開にし、流量制御弁１３を閉の状態で流量制御弁１５を徐々に開き、所定の開度に調整する。このとき、蒸留塔１から排出されるプロセス蒸気の一部は、主工程の排出ラインの分岐点４を経て、ＶＲＣ工程におけるラインのシールガスと置換され、ＶＲＣ工程の系内もこのプロセス蒸気により昇温されていく。その後、流量制御弁１７を所定の開度に調整して（ターボ型圧縮機５の吐出圧が低くなりすぎる場合には、必要に応じて流量制御弁１１及び／又は１２の開度を流量を減らす方向に調整して）圧縮機に導入されるプロセス蒸気量を調整した後、ターボ型圧縮機５を起動させ、定格回転数で安定させる。この時点では、ターボ型圧縮機５を通過するプロセス蒸気には吐出圧は殆ど負荷されていないが、圧縮機の軸動力×機械効率×（１−断熱効率）の熱が圧縮機内を通過するプロセス蒸気に伝熱することで温度上昇が生じる。流量制御弁１２が開の状態である場合は閉じることで、ＶＲＣ工程を流れるプロセス蒸気は、基本的に圧縮機内を１回通過するだけの状態となる。そのため、温度上昇は圧縮機からの伝熱のみであり温度上昇幅は小さい。ターボ型圧縮機５を通過したプロセス蒸気と、熱交換器７の内部プロセスの沸点との温度差も十分でないため、伝熱も不十分で凝縮もあまり生じていない。従って、殆どのプロセス蒸気（プロセス蒸気中の凝縮性ガス成分）は、未凝縮のまま第１の循環ライン９により主工程の配管接続部１０へと戻され、冷却凝縮により回収される。本発明では、このようにＶＲＣ工程での第１の循環ラインにより、未凝縮の蒸気を主工程に戻すことができるため、熱交換ユニットでの伝熱不良などによるプロセス蒸気の滞留などを抑制でき、圧縮機内のガス流通の停滞などによる圧縮機の破損を防止できる。なお、ターボ型圧縮機を備えたプラントでは、第２の循環ライン６は、プロセス蒸気の循環方法の制御に加えて、緊急時のサージング回避のため、循環流量を確保するために利用してもよい。また、流量制御弁１３は、気液分離器８に凝縮液の液面を確認後、適切な開度または頻度で開き、後工程に凝縮液を送ることができる。
【００２３】
次に、流量制御弁１１を徐々に閉め、ターボ型圧縮機５の吐出圧を徐々に増大させると、圧縮されたプロセス蒸気（再圧縮蒸気）の温度は上昇する。所定の圧力（又は圧縮機下流側の背圧）及び温度を維持するために、流量制御弁１１の開度調整でターボ型圧縮機５における圧縮比を制御する。しかし、このような流量制御弁１１の開度調整による制御のみでは、ＶＲＣ方式の効果を有効に発揮するには、未だ十分ではなかった。例えば、ＶＲＣ工程においては、熱交換工程などにおける再圧縮蒸気の凝縮性ガス成分の凝縮、及び圧縮機の軸受けなどからプロセス内に漏れ込むシールガスなどの非凝縮性ガスのプロセス凝縮液（凝縮性ガス成分の凝縮液）への溶解などに起因して、圧力（又は圧縮機下流側の背圧）の低下（又は圧力上昇の停滞）と、それに伴う温度の低下（又は温度上昇の停滞）が起こる。このような事態に対して、流量制御弁１１の開度調整のみで対処しても、所定の圧力を保持（又は維持）できない場合があり、所定の圧力を保持するためには、熱交換工程における凝縮性ガス成分の凝縮量（又は熱交換器（ＶＲＣ蒸発器）での原料仕込み量）を制限するなどして対応せざるを得ない。そのため、圧縮機の下流側の圧力制御も容易ではなく、省エネルギー効果も低下する。また、前記圧力の低下（又は圧力上昇の停滞）、すなわち、圧縮機が空回りしている状態（圧縮せずに、単に送風している状態）のため、ＶＲＣ方式を備えたプラント（又は再圧縮ユニット（又は工程））の円滑な運転ができず、本来有する省エネプラントとしての機能（又は動作）が停止する場合もある。そのため、流量制御弁１１の開度調整に加えて、流量制御弁１８の開度を調整してガス導入ライン１９から非凝縮性ガスを導入することにより、圧力（又は圧縮機下流側の背圧）の低下を防止して、所定の圧力を維持している。本発明では、このようなガス導入工程（又はユニット）を含むため、熱交換工程において、再圧縮蒸気を多量に凝縮（例えば、凝縮性ガス成分を全凝縮）しても、ＶＲＣ方式が有効に機能するプロセス（又はプラント）設計が可能（又は容易）となり、省エネルギー効果をより一層向上できる。また、このガス導入工程（又はユニット）により、圧縮機の下流側（背圧空間）での圧力を容易に制御でき、ＶＲＣ方式を備えたプラント（又は再圧縮ユニット（又は工程））を円滑（又は容易）に運転（又は作動、稼働）できる。そのため、処理量や運転条件の変動が大きなプラントに対しても適用し易く、プロセス設計の柔軟性にも優れている。本明細書において、「背圧空間」とは、ＶＲＣプロセスにおいて、圧縮機の吐出圧が及ぶ（又は伝達する）全ての空間及びライン（エアリングラインを含む）を意味する。すなわち、「背圧空間」は、圧縮機下流から流量制御ユニットに至るまでの空間及びライン、例えば、圧縮機下流から、熱交換ユニット、気液分離ユニットなどを経由して、第１の循環ライン及び凝縮液排出ラインのそれぞれに配設される流量制御ユニットに至るまでの空間及びラインと、圧縮機下流から第２の循環ラインに配設される流量制御ユニットに至るまでの空間及びラインとを含むことを意味する。
【００２４】
なお、ガス導入ライン１９から導入した非凝縮性ガス、熱交換器７で凝縮しなかった再圧縮蒸気（非凝縮蒸気）、プロセス凝縮液に溶解しなかったシールガスなどの非凝縮性ガスは、ガス成分として気液分離器８で分離され、気液分離器８のエアリングライン９ｂを経由及び／又は熱交換器７のエアリングライン９ａを経由して、第１の循環ライン９を介して主工程に戻される。接続部１０に戻った蒸気中に含まれる凝縮性ガス成分（前記非凝縮蒸気中の凝縮性ガス成分）は、通常、接続部１０の下流側の第２のコンデンサー３で冷却凝縮されるが、何らかの理由で圧縮機側（上流側）に流入しても、第１のコンデンサー２で冷却凝縮される。そのため、蒸留塔１から排出されるプロセス蒸気と合流しても、主プロセスの凝縮工程及びＶＲＣプロセスの蒸気再圧縮工程以降の工程に対してガス流量が過大となることはない。
【００２５】
主工程（主ユニット）において、プロセス蒸気生成器は、プロセス蒸気を発生する限り、蒸留塔に限定されず、例えば、熱源により加熱蒸発した後、冷却して循環することにより温度制御される装置であってもよく、具体的には、反応器、蒸発器、晶析器、乾燥機などであってもよい。これらのうち、ＶＲＣ工程を主工程の熱源に組み込み易い点から、蒸留塔が好ましい。蒸留塔は、塔頂からプロセス蒸気が排出され、このプロセス蒸気を冷却凝縮するコンデンサーと、塔底には、原料をガス仕込みするためのリボイラーとを備えており、ＶＲＣ工程の熱交換器（ＶＲＣ蒸発器）を熱源として、前記塔底のリボイラーと併用してもよい。
【００２６】
プロセス蒸気は、少なくとも凝縮性ガス成分を含んでいればよく、後述する非凝縮性ガス成分を含んでいてもよいが、熱源として寄与し難く、経済的に不利であるなどの観点から、実質的に非凝縮性ガス成分を含まない（又は非凝縮性ガス成分が極めて少量である）のが好ましい。通常、凝縮性ガス成分としては、水及び／又は有機溶媒を含んでいる。有機溶媒としては、例えば、アルコール類（エタノール、プロパノール、イソプロパノールなどのアルキルアルコール類、エチレングリコール、プロピレングリコールなどのグリコール類など）、エステル類（酢酸メチル、酢酸エチル、酢酸ブチルなど）、ケトン類（アセトン、エチルメチルケトン、メチルイソブチルケトン、シクロヘキサノンなど）、アルデヒド類（アセトアルデヒド、プロピオンアルデヒドなど）、カルボン酸類（酢酸、プロピオン酸など）、エーテル類（ジメチルエーテル、ジエチルエーテルなどの鎖状エーテル類、ジオキサン、テトラヒドロフランなどの環状エーテル類など）、炭化水素類（ヘキサンなどの脂肪族炭化水素類、シクロヘキサンなどの脂環式炭化水素類、ベンゼン、トルエン、キシレンなどの芳香族炭化水素類など）、ハロゲン化炭化水素類（塩化メチレン、クロロホルムなど）などが挙げられる。これらの有機溶媒は、単独で又は二種以上組み合わせて使用できる。これらの有機溶媒のうち、エステル類（特に酢酸エステル）、炭化水素類（特に芳香族炭化水素類）が汎用され、エステル類と炭化水素類とを、例えば、エステル類／炭化水素＝９９／１〜１０／９０、好ましくは９０／１０〜３０／７０、さらに好ましくは８０／２０〜５０／５０程度の重量割合で混合してもよい。
【００２７】
有機溶媒の沸点は、有機溶媒の種類により決定されるが、特に限定されるものではなく、例えば、３０〜１５０℃、好ましくは５０〜１２０℃、さらに好ましくは６０〜１００℃程度である。
【００２８】
有機溶媒の蒸気圧（２５℃）は、有機溶媒の種類により決定されるが、特に限定されるものではなく、例えば、１〜３０ｋＰａ、好ましくは５〜２０ｋＰａ、さらに好ましくは１０〜１５ｋＰａ程度である。
【００２９】
有機溶媒の割合は、有機溶媒の種類に応じて選択でき、特に限定されないが、プロセス蒸気全体に対して、１０重量％以上であってもよく、例えば、３０〜９９重量％、好ましくは５０〜９８重量％、さらに好ましくは８０〜９５重量％（特に８５〜９３重量％）程度であってもよい。
【００３０】
プロセス蒸気の温度は、凝縮性ガスの種類に応じて選択でき、特に限定されないが、例えば、２０〜２００℃、好ましくは３０〜１５０℃、さらに好ましくは５０〜１００℃程度である。プロセス蒸気の圧力は、常圧の蒸気であってもよく、加圧された蒸気であってもよい。プロセス蒸気の流量（プロセス蒸気生成器からの排出流量）は、例えば、０．１〜１００ｍ３／ｓｅｃ、好ましくは１〜５０ｍ３／ｓｅｃ、さらに好ましくは３〜１０ｍ３／ｓｅｃ程度である。
【００３１】
主工程におけるコンデンサーは、単独であってもよいが、プロセス蒸気中の凝縮性ガス成分を効率良く凝縮できるとともに、ＶＲＣ工程に未凝縮の蒸気が循環されることを抑制できる点から、複数のコンデンサーを直列に配設するのが好ましく、例えば、２つのコンデンサーを直列に配設してもよい。コンデンサーの能力は、特に限定されず、通常、ＶＲＣ工程を稼働させない主工程の単独運転でプロセス蒸気中の凝縮性ガス成分を凝縮可能な能力が選択される。単独でコンデンサーを配設する場合、第１の循環ラインはコンデンサーの上流側に接続される。複数のコンデンサーを配設する場合、複数のコンデンサーを直列に配設し、最初のコンデンサーよりも上流側に第１の循環ラインを接続してもよいが、最初のコンデンサーよりも下流側であり、かつ最後のコンデンサーよりも上流側のライン（隣接するコンデンサー間のラインであり、２つのコンデンサーが直列に配設されている場合、第１のコンデンサーと第２のコンデンサーとの間のライン）に第１の循環ラインを接続することにより、第１の循環ラインからの未凝縮の再圧縮蒸気中の凝縮性ガス成分がＶＲＣ工程に循環（逆流）することを抑制できる。複数のコンデンサーは、異なるコンデンサーであってもよく、同一のコンデンサーであってもよいが、通常、最初のコンデンサーとして、最初（上流側）のコンデンサーのみで定常運転時のプロセス蒸気中の凝縮性ガス成分の全量を凝縮できるだけの能力を有するコンデンサーが使用される。
【００３２】
主工程は、さらにリボイラーなどの熱交換器を備えていてもよい。熱交換器は、例えば、プロセス蒸気生成器の原料をガス状で仕込むための主プロセス蒸発器であってもよい。特に、蒸留塔の場合、前述のように、主プロセス蒸発器は、塔底リボイラーであってもよく、ＶＲＣ工程の熱交換器をこの塔底リボイラーとして利用してもよい。
【００３３】
主工程におけるプロセス蒸気の排出ラインは、前記コンデンサーによりプロセス蒸気を冷却凝縮する主ラインと、ＶＲＣ工程に供給されるＶＲＣラインとに分岐しており、ＶＲＣ工程に供給されるＶＲＣラインにおいて、流量制御ユニットは必須ではないが、プラントの安定した運転のために、上流に、ＶＲＣ工程へのプロセス蒸気の流量を制御するための流量制御ユニットを配設するのが好ましい。この流量制御ユニットは、通常、運転開始時には閉じた状態から徐々に開度を大きくし、ＶＲＣ工程が安定した定常運転時には一定の開度（例えば、全開）に調整される。主ラインとＶＲＣラインとに分配されるプロセス蒸気の割合は、圧縮機の能力に応じて適宜選択でき、省エネルギーの点からは、ＶＲＣラインに供給される割合が多い方が好ましく、例えば、定常運転時において、全量のプロセス蒸気をＶＲＣラインに分配してもよいが、通常、一部のプロセス蒸気が主ラインに供給され、残部がＶＲＣラインに供給される。
【００３４】
ＶＲＣ工程において、蒸気再圧縮ユニットの形式は、特に限定されず、慣用の形式、例えば、スクリュー型、ターボ型、レシプロ型などの各種タイプの圧縮機を使用できる。これらのうち、安全性や簡便性の向上効果が大きい点から、スクリュー型、ターボ型が好ましい。なお、前述の通り、図１のターボ型圧縮機を備えたプラントにより、再圧縮蒸気の利用方法を説明したが、スクリュー型圧縮機を備えたプラントでは、圧縮機の昇圧開始前（凝縮開始前）におけるＶＲＣプロセスでのプロセス蒸気の循環方法が若干異なる。具体的には、スクリュー型圧縮機を備えたプラントでは、プラントを構成する装置として、圧縮機の種類が異なることに加えて、圧縮機上流側に隣接する流量制御ユニット（図１における流量制御弁１７）を配設しない点で、ターボ型圧縮機を備えたプラントと異なっている。プロセス蒸気の循環操作としては、スクリュー型圧縮機を備えたプラントでは、スクリュー型圧縮機を起動し、定格回転数で安定するのを確認してから、第２の循環ラインに配設される流量制御ユニット（図１における流量制御弁１２）を閉じる点において、ターボ型圧縮機を備えたプラントと相違する。詳しくは、スクリュー型圧縮機を通過したプロセス蒸気には吐出圧は殆ど負荷されていないものの、前述のとおり、圧縮機の軸動力×機械効率×（１−断熱効率）の熱が圧縮機内を通過するプロセス蒸気に伝熱することで若干の温度上昇が生じる。そして、若干昇温されたプロセス蒸気の一部は、第２の循環ラインを通して圧縮機の吸入側に循環しており、循環が続くと圧縮機の上限を上回る高温となるおそれがあるため、圧縮機の運転状況が安定した後、第２の循環ラインに配設される流量制御ユニットを閉じる。第２の循環ラインに配設される流量制御ユニットを閉じても、第１の循環ラインにより、ＶＲＣ工程を循環する未凝縮の再圧縮蒸気は主工程へと戻れるため、従来のＶＲＣ方式とは異なり、第２の循環ラインを循環することにより圧縮機が上限温度以上に加熱される前に、第２の循環ラインでの循環を停止できる。そのため、第２の循環ラインの循環により昇温した圧縮機を冷却するための設備も不要である。このように圧縮機の種類により凝縮開始前の循環方法は異なるものの、いずれの圧縮機においても、再圧縮蒸気を熱源として安全かつ簡便に再利用できる。
【００３５】
蒸気再圧縮ユニットの吐出圧は、プロセス蒸気の種類に応じて選択できるが、定常時の圧力が、例えば、３０ｋＰａＧ（ゲージ圧）以上、好ましくは４０〜２００ｋＰａＧ、さらに好ましくは５０〜１００ｋＰａＧ程度である。
【００３６】
本発明では、ガス導入ユニットから送られる非凝縮性ガスの導入流量と、第１の循環ライン（循環工程）から主ユニットに戻す流量とを調整し、蒸気再圧縮ユニットによるプロセス蒸気の圧縮比（吐出圧／吸入圧）（絶対圧）を制御することにより、再圧縮蒸気の温度を目的の温度に調整する。本発明では、流量制御ユニットにより、ガス導入ユニットから送られる非凝縮性ガスを増加又は第１の循環ラインから主ユニットに戻す流量を抑えれば圧縮比は上昇し、圧縮比の上昇により温度が上昇することにより熱交換効率を向上できる。前記圧縮比は、再圧縮蒸気の目的の温度に応じて適宜選択できるが、例えば、２．０〜４．５（例えば、２．５〜４．０）、好ましくは３．０〜３．５、さらに好ましくは３．２〜３．３程度に調整してもよい。
【００３７】
蒸気再圧縮ユニットの吐出温度は、プロセス蒸気の種類に応じて選択できるが、例えば、蒸気再圧縮ユニットに供給される前のプロセス蒸気の温度に対して、例えば、５℃以上高い吐出温度に設定してもよく、例えば、５〜１００℃、好ましくは１０〜８０℃、さらに好ましくは１５〜５０℃程度高い吐出温度に設定してもよい。
【００３８】
蒸気再圧縮ユニットにおいて、第２の循環ライン（圧縮機の戻し配管）は必須ではないが、安定してＶＲＣ工程を稼働できる点から、流量制御ユニットが配設された第２の循環ラインを備えてもよい。ターボ型圧縮機では、圧縮機に導入されるＶＲＣラインは、第２の循環ラインと合流後のラインにおいて、さらに流動制御ユニットを備えていてもよい。ターボ型圧縮機を備えたプラントでは、圧縮機の起動前及びプロセスの安定稼働中においても、この流量制御ユニットの開度を調整することにより、圧縮機に導入されるプロセス蒸気の流量を調整してもよい。さらに、スクリュー型圧縮機を備えたプラントにおける第２の循環ラインでは、ＶＲＣ工程稼働初期（コールドスタート）において、流量制御ユニットを開いて、プロセス蒸気を第２の循環ラインに循環させ、圧縮機の運転開始時に回転部が安定した回転数に至るまでの短期間に限って使用してもよい。圧縮機には、その機構内に第２の循環ラインの機能を有するタイプも市販されている。
【００３９】
なお、本明細書では、再圧縮蒸気について、前述の定義に加えて、蒸気再圧縮ユニット（工程）を通過したプロセス蒸気であれば、コールドスタート時のプロセス蒸気（圧縮の程度及び温度上昇が小さい蒸気）も、再圧縮蒸気と称する場合がある。
【００４０】
熱交換ユニットは、慣用の熱交換器を利用でき、前述のように、主工程の主プロセス蒸発器として利用すると、熱交換ユニットを主工程の熱源として利用できるため、プラントを省資源省エネルギー型の設備とすることができる。熱交換ユニットを主プロセス蒸発器として利用した場合、ＶＲＣ工程の定常運転時において、ＶＲＣ蒸発器の仕込量は、全仕込量（ＶＲＣ蒸発器の仕込量と主プロセス蒸発器の仕込量との合計量）の５０％以上であってもよく、好ましくは６０〜１００％、さらに好ましくは７０〜１００％程度であってもよい。本発明の方法では、熱交換ユニットでの蒸発量の増加に伴い、主プロセス蒸発器での仕込量を適宜減少させて運転される。
【００４１】
熱交換ユニットは、第１の循環ラインと接続されており、熱交換ユニットにおける凝縮しなかったガス成分は、熱交換ユニット及び／又は気液分離ユニットのエアリングラインを経由して、第１の循環ラインにより主工程に戻される。熱交換ユニット（熱交換工程又は凝縮工程）において、蒸気再圧縮ユニットが安定するまでの運転初期では、再圧縮蒸気の温度上昇が低いため、殆どのプロセス流体がガス状のまま第１の循環ラインにより主工程に戻される。一方、蒸気再圧縮ユニットが安定した状態では、再圧縮蒸気の一部が凝縮されるようプロセス設計してもよいが、再圧縮蒸気中の凝縮性ガス成分の全部が凝縮（全凝縮）されるように熱交換ユニットにおける熱交換工程（効率）をプロセス設計するのが好ましい。このように設計された熱交換工程では、再圧縮蒸気中の凝縮性ガス成分の殆どが凝縮されるため、第１の循環ラインに供給される未凝縮の蒸気（凝縮性ガス成分）は殆どない。なお、本発明の効果を害しない範囲であれば、全凝縮せずに、再圧縮蒸気の一部を背圧保持のため、第１の循環ラインに流して利用してもよい。
【００４２】
気液分離ユニット（気液分離工程）は、必須ではないが、分離されたガス成分を主ユニットに戻すことにより、プラントのエネルギー効率を向上できる点から、熱交換ユニットを経たプロセス流体を気液分離するための気液分離器を備えるのが好ましい。気液分離器としては、ガス成分と、凝縮液とを分離できれば、特に限定されず、慣用の分離ドラムなどが利用できる。
【００４３】
気液分離ユニットでは、熱交換ユニットにおいて凝縮しきれなかった蒸気に加え、ガス導入ユニットから導入された非凝縮性ガス、及び圧縮機の軸受けなどからプロセス内に漏れ込んだシーリングガス（窒素ガスなど）などのうちプロセス凝縮液に溶け切れなかった分もガス成分として分離され、気液分離ユニットのエアリングラインを経由して、第１の循環ラインにより主工程に戻され処理される。一方、凝縮液は排出ライン（又は凝縮液排出ライン）から回収される。
【００４４】
排出ライン（又は凝縮液排出ライン）は、流量制御ユニットを備えていなくてもよいが、安定してＶＲＣ工程を稼働できる点から、流量制御ユニットを備えるのが好ましい。
【００４５】
本発明では、前述の通り、ガス導入ユニット（又は工程）から送られる非凝縮性ガスの導入流量と、第１の循環ラインから主ユニットに戻す流量とを調整し、蒸気再圧縮ユニットによるプロセス蒸気の圧縮比（吐出圧／吸入圧）（絶対圧）を制御することにより、ＶＲＣプロセス空間（又は背圧空間）の圧力を調整して、再圧縮蒸気の温度を目的の温度に調整する。ガス導入ユニットは、少なくとも背圧空間の圧力を制御可能な位置（例えば、圧縮機の下流側から、第１の循環ラインの流量制御ユニットの上流側の間など）に接続されていればよいが、特に、熱交換ユニット及び気液分離ユニットのそれぞれのエアリングラインの合流部と、第１の循環ラインの流量制御ユニットの上流側との間のラインに接続されていることが好ましい。すなわち、熱交換工程及び／又は気液分離工程の下流の循環工程において、非凝縮性ガスを導入するのが好ましい。循環工程において、非凝縮性ガスを導入することにより、再圧縮蒸気と熱交換ユニットとの熱交換のための接触頻度を低下させる非凝縮性ガスが、熱交換ユニットを通過する量が少なくなり、効率的に熱交換できるため、設備（又は熱交換ユニット）のサイズを小さくできる。また、導入する非凝縮性ガスとプロセス凝縮液との接触頻度も低減できるため、非凝縮性ガスのプロセス凝縮液への溶解も抑制できる。なお、本発明の効果を害しない限り、ガス導入ユニットは、圧縮機や、主ユニット（例えば、主ユニットと再圧縮ユニットとをつなぐラインなど）に接続されていてもよい。圧縮機にガス導入ユニットを接続する場合、導入する非凝縮性ガスを圧縮機のシールガス（又は軸封ガス）などとして利用してもよく、さらに、圧縮機のシール部分から漏出するシールガス（非凝縮性ガス）を背圧保持に利用してもよい。
【００４６】
ガス導入ユニットから導入される非凝縮性ガスとしては、背圧空間において所定の圧力を確保する観点から、蒸気再圧縮ユニット（圧縮機）の背圧空間における温度及び圧力下において、気体状態を保持可能なガスであるのが好ましく、背圧空間の温度が、例えば、２５〜３００℃、好ましくは４０〜２３０℃、さらに好ましくは６５〜１５０℃程度であり、かつ圧力が、例えば、３０〜３００ｋＰａＧ、好ましくは４０〜２００ｋＰａＧ、さらに好ましくは５０〜１００ｋＰａＧ程度である環境下において、気体状態を保持できるガスであってもよい。また、同様に背圧空間において所定の圧力を確保する観点から、非凝縮性ガスは、プロセス凝縮液（凝縮性ガス成分の凝縮液）に対して溶解し難いガス（不溶性又は難溶性を示すガス）であるのが好ましい。代表的な非凝縮性ガスとしては、例えば、プロセス蒸気などと反応しない不活性ガス（例えば、窒素、空気、二酸化炭素、一酸化炭素、希ガス（例えば、アルゴン、ヘリウムなど）など）などが挙げられる。なお、「不活性ガス」とは、ＶＲＣプロセスの条件下（例えば、前記背圧空間における温度及び圧力下など）において、プロセス蒸気や、設備（又は非凝縮性ガスが接触する設備内面）の材質などと反応しないガスである限り、特に限定されず、ＶＲＣプロセスの条件以外の条件下ではプロセス蒸気などと反応性を有するガスや、プロセス蒸気や設備を構成する材料以外の材料に対して反応性を有するガスを含む意味に用いる。
【００４７】
これらの非凝縮性ガスは、単独で又は２種以上組み合わせて混合ガスとして使用することもできる。これらの非凝縮性ガスのうち、導入（又は供給）の容易性の観点から、窒素が好ましい。また、非凝縮性ガスは、ガスボンベ（又は圧縮ガス容器）やガス発生器などから供給してもよく、プロセス由来のガス[例えば、プラントの主工程又は他の工程（又は他の反応工程）において発生（又は副生）する非凝縮性ガスなど、好ましくは主工程から発生するプロセス蒸気に微量に含まれる空気、軸受け部などのシール部を有する機器（圧縮機など）から漏出するシールガスなど]を利用して、非凝縮性ガスとして供給してもよい。簡便性などの点から、プロセス外から導入されるガスであるのが好ましい。
【００４８】
非凝縮性ガスの導入流量は、プロセス設計（例えば、背圧空間の気相部分の体積、プラントの運転開始初期における第１の循環ラインから主工程への循環流量など）に応じて適宜選択（又は調整）できるが、主工程で発生するプロセス蒸気の流量に対して、例えば、０．０１〜３体積％、好ましくは０．０３〜１体積％、さらに好ましくは０．０５〜０．５体積％程度であってもよい。なお、この非凝縮性ガスの導入割合は、主工程で発生するプロセス蒸気の温度及び圧力下での体積割合である。本発明では、非凝縮性ガスの導入流量が少量であっても、背圧空間の圧力を容易に制御でき、熱交換工程における再圧縮蒸気中の凝縮性ガス成分を有効に凝縮（例えば、全凝縮）することが可能となるため、省エネルギー効果をより一層向上できる。例えば、再圧縮蒸気の全量を凝縮（全凝縮）する場合、エネルギー効率（例えば、定常運転時に対する単位時間当たり熱源スチーム低減量など）は、従来の背圧を維持し難いＶＲＣ方式と比較して、例えば、３０〜１００％、好ましくは４０〜８０％（例えば、５０％）程度も向上できる。
【実施例】
【００４９】
以下に、実施例に基づいて本発明をより詳細に説明するが、本発明はこれらの実施例によって限定されるものではない。
【００５０】
（実施例１）
図２にプロセスフロー図を示す。主プロセス（主工程）は、蒸留塔１を備えており、仕込み液は主プロセス蒸発器（第１の熱交換器）１４で蒸発され、ガスの状態で蒸留塔１に仕込まれる。主プロセスのみで安定的に運転がなされているとき、蒸留塔１の塔頂から排出されるプロセス蒸気は常圧（大気圧）で温度は約８０℃、その組成は酢酸エチル６０重量％、ベンゼン３０重量％、水１０重量％で、流量は４ｍ３／ｓｅｃである。ＶＲＣプロセスの圧縮機としては、ターボ型圧縮機（（株）ＩＨＩ製「ｆ４４Ｃ２」）を用いた。
【００５１】
１．ＶＲＣプロセスラインのプロセス蒸気置換〜圧縮機の起動〜圧縮機の昇圧開始（凝縮開始前）
（１）バルブ１１、１２、１３、１５及び１７が全閉であることを確認した。
【００５２】
（２）第１の循環ラインのバルブ１１、第２の循環ラインのバルブ１２、及び圧縮機吸入側のバルブ１７を全開にした。
【００５３】
（３）蒸留塔１の塔頂からＶＲＣプロセス側へのラインのバルブ１５を徐々に開にして、ＶＲＣプロセスのラインをプロセス蒸気で置換し、１０分間ほどかけて系内を温度上昇させた。バルブ１２を全閉にし、バルブ１１及び１７を所定の開度にした。
【００５４】
（４）圧縮機５を起動し、インペラが定格回転数に到達後（１０〜２０秒程度後）、定常連続運転状態で圧縮機の吐出圧力上昇が５０ｋＰａＧ未満に納まっていること、圧縮機に異常（異音、振動など）がないことを確認した。このときの圧縮機５の軸動力は２５０ｋＷで、吸込みガス流量は３ｍ３／ｓｅｃで圧縮機の吐出ガス温度が入口温度よりも２０℃上昇していた。
【００５５】
（５）第１の循環ラインのバルブ１１を徐々に閉めていった。このとき、圧縮機５の吐出圧力が１１５ｋＰａＧまで上昇した。温度は約１０５℃であった。
【００５６】
２．圧縮機の昇圧（凝縮開始後）〜既設蒸発器の負荷低減
（１）圧縮機５の吐出圧力と凝縮とのバランスを見ながら、第１の循環ラインのバルブ１１を徐々に閉め、さらに、ガス導入ライン１９のバルブ１８を徐々に開いて窒素を導入した。吐出温度を１１０℃とし、ＶＲＣ蒸発器（第２の熱交換器）７で熱交換を行った。ここで、第１の循環ラインから主工程に戻されるガスは、導入した窒素が主成分であり、未凝縮の再圧縮蒸気は含まれていなかった。そのため、再圧縮蒸気は、ＶＲＣ蒸発器７で全凝縮されていた。
【００５７】
（２）ＶＲＣ蒸発器７での蒸発量の増加に伴い、ＶＲＣ蒸発器からの仕込量が徐々に増加した。ＶＲＣ蒸発器からの仕込量が最大値の７０％を超えたら、主プロセス蒸発器１４の最低負荷を保った状態で、主プロセス蒸発器への熱源スチーム１６の流量を減らす方向で調節して、バルブ１７の開度を徐々に上げ、圧縮機の吸込み量を上げていき、主プロセス蒸発器からの仕込量を調整した。
【００５８】
（３）運転が安定したところで、バルブ１１及び１８を微量の開度で断続的に開閉させることで、圧縮機の吐出圧を安定させた。窒素の導入量は、１０Ｎｍ３／ｈｒ（発生するプロセス蒸気の流量に対して約０．０９体積％）で安定した。
【００５９】
運転が安定したところの、主プロセス蒸発器の熱源スチーム負荷は、ＶＲＣプロセスを稼働させない定常運転時に比べ、６トン／ｈｒの低減となった。
【００６０】
（比較例１）
図３にプロセスフロー図を示す。図３で示されるプラントは、図２で示されるプラントにおいて、循環ライン９へのガス導入ライン１９及び流量調整バルブ１８を備えていない、従来のＶＲＣプロセスを備えたプラントである。なお、実施例１と同様に、主プロセスのみで安定的に運転がなされているとき、蒸留塔１の塔頂から排出されるプロセス蒸気は常圧（大気圧）で温度は約８０℃、その組成は酢酸エチル６０重量％、ベンゼン３０重量％、水１０重量％で、流量は４ｍ３／ｓｅｃである。また、ＶＲＣプロセスの圧縮機も実施例１と同様に、ターボ型圧縮機（（株）ＩＨＩ製「ｆ４４Ｃ２」）を用いた。圧縮機吐出側の背圧空間の気相を構成する成分としての非凝縮性ガスの追加導入設備を備えていない従来のＶＲＣプロセスにおいて、以下のように、実施例１と同じように運転を開始した。
【００６１】
１．ＶＲＣプロセスラインのプロセス蒸気置換〜圧縮機の起動〜圧縮機の昇圧開始（凝縮開始前）
実施例１記載の１．（１）〜（５）と同様の操作により、ＶＲＣプロセスラインへプロセス蒸気を導入し、圧縮機の起動及び昇圧を開始した。これらの操作後における圧縮機５の吐出圧力及び温度も実施例１と同様であった。
【００６２】
２．圧縮機の昇圧（凝縮開始後）〜既設蒸発器の負荷低減
（１）圧縮機５の吐出圧力と凝縮とのバランスを見ながら、第１の循環ラインのバルブ１１を徐々に閉めていき、吐出温度を１１０℃とし、ＶＲＣ蒸発器（第２の熱交換器）７で熱交換を行った。再圧縮蒸気は、ＶＲＣ蒸発器（第２の熱交換器）では全凝縮には至らず、再圧縮蒸気の一部は、未凝縮ガス成分として、第１の循環ラインを介して主プロセスに戻っていた。
【００６３】
（２）ＶＲＣ蒸発器７での蒸発量に伴い、主プロセス蒸発器への熱源スチーム１６の流量を減らす方向で調整して、主プロセス蒸発器からの仕込量を調整した。
【００６４】
（３）運転が安定したところで、バルブ１１を微量の開度で断続的に開閉させることで、圧縮機の吐出圧を安定させた。
【００６５】
安定して運転した状態において、主プロセス蒸発器の熱源スチーム負荷は、ＶＲＣプロセスを稼働させない定常運転時に比べ、４トン／ｈｒの低減となった。
【産業上の利用可能性】
【００６６】
本発明の再圧縮蒸気の利用方法は、プロセス蒸気を発生する各種のプラント、例えば、蒸留プラントなどに利用できる。
【符号の説明】
【００６７】
１…蒸留器
２、３…コンデンサー
４…配管分岐点
５…圧縮機
６、９…循環ライン
７、１４…熱交換器（蒸発器）
８…気液分離器
９ａ、９ｂ…エアリングライン
１９…ガス導入ライン
【図１】
0006450292.tif 000002
【図２】
0006450292.tif 000003
【図３】
0006450292.tif 000004